(57)【要約】本発明は、特に、非常時を回避するバーと組合されるように設計されたドア操作機構に関する。本発明のドア操作機構は、ロックボルトキーパと協働できるスロットが設けられた枢動ボルト（２６）と、該ボルトがいわゆる逃げ位置へと回転することを防止する枢動カム（３５）と、該カムを付勢して枢動ボルトを解放させるアクチュエータ部材（４５）とを有している。
2004510078.tif 000002
【特許請求の範囲】
【請求項１】
ドアに固定される支持体に取付けられる、特に非常ボルト形式のドア操作機構において、
前記支持体の外部のキーパを受け入れることができるスロットを備えた枢動ボルト（２６）と、
該ボルトとキーパとが分離可能な逃げ位置に到達できるようにする方向に前記ボルトが回転することを防止するための前記ボルトの異形ノーズと協働する衝合体を備えた枢動カム（３５）と、
該カムを付勢するアクチュエータ部材（４５）であって、前記カムのアームと協働して前記衝合体を後退させて前記枢動ボルトを解放し、該枢動ボルトが前記逃げ位置に到達できるようにするアクチュエータ部材（４５）とを有することを特徴とするドア操作機構。
【請求項２】
前記衝合体（３６）はローラであることを特徴とする請求項１記載のドア操作機構。
【請求項３】
前記アクチュエータ部材（４５）は枢着されておりかつ前記アームと協働できる丸端部（５０）を有していることを特徴とする請求項２記載のドア操作機構。
【請求項４】
前記ローラは前記カムの（３５）の２つの平行で同様な部材（４６）の間に取付けられており、前記２つの部材（４６）は共通のジャーナル（４２）上に取付けられかつ前記ローラの長さだけ間隔を隔てられていることを特徴とする請求項２または３記載のドア操作機構。
【請求項５】
前記アクチュエータ部材（４５）は２つの同様な端部（５０）を有し、該端部（５０）は平行でかつ前記同様な部材（４６）間の距離と同じ距離だけ間隔を隔てており、これにより前記端部（５０）と前記同様な部材（４６）とが協働することを特徴とする請求項３と４との組合せに記載のドア操作機構。
【請求項６】
シリンダおよび／またはナットに連結された前記カムを付勢するためのアクチュエータ手段（５５）を更に有し、該アクチュエータ手段（５５）は前記カムと協働して前記ボルトを解放し、ボルトが前記逃げ位置に到達できるようにすることを特徴とする請求項１〜５のいずれか１項記載のドア操作機構。
【請求項７】
前記アクチュエータ手段（５５）はタブ（５８）を有し、該タブ（５８）は前記カムと協働し、かつ前記シリンダおよび／または前記ナットとの機械的連結位置へと移動できる可動板（５９）に固定されていることを特徴とする請求項６記載のドア操作機構。
【請求項８】
前記板（５９）は、該板をナットに連結することを支配するドグ（６８）により移動され、該ドグはシリンダにより移動されることを特徴とする請求項７記載のドア操作機構。
【請求項９】
前記板はガイドロッド（６２）に沿って移動し、かつ板が前記シリンダおよび／または前記ナットと協働する位置に向かってばね付勢されていることを特徴とする請求項７または８記載のドア操作機構。
【請求項１０】
前記ドグ（６８）は前記板の下で摺動する平坦部材でありかつボス（７０）を有し、該ボス（７０）は、これが前記板に接触したときに、該板をナットから離脱される位置に保持することができる傾斜縁部を備えていることを特徴とする請求項９記載のドア操作機構。
【請求項１１】
前記ボルトの前記スロットの１つの縁部はその弱化部分（７６）の一部であり、該部分は、キーパとボルトとの間に生じた力が実質的にボルトの回転軸線の方向を向く位置へと外力によって曲げられることを特徴とする請求項１〜１０のいずれか１項記載のドア操作機構。
【請求項１２】
第二ドアに取付けられたキーパ（１３）と協働するためのトリッピング部材（７５）を更に有し、該トリッピング部材（７５）は、前記支持体に対して枢動し、かつ前記カムと協働して該カムを、前記ボルトを解放させる方向に付勢し、前記トリッピング部材はカム縁部（７６）を備え、該カム縁部（７６）は、前記ボルトのスロットに対して横方向に並置されかつ前記キーパと協働する形状を有し、これにより、前記ドアを開くときに、前記キーパはトリッピング部材を付勢して離脱させ、該トリッピング部材は次に前記カムを移動させて前記ボルトを解放させることを特徴とする請求項１〜１１のいずれか１項記載のドア操作機構。
【請求項１３】
前記トリッピング部材（７５）は、前記枢動ボルトと同じジャーナル上で回転する平坦部材であることを特徴とする請求項１２記載のドア操作機構。
【請求項１４】
前記カム縁部（７６）、前記スロットの口の近傍のランプ形端部を有することを特徴とする請求項１２または１３記載のドア操作機構。
【発明の詳細な説明】
【０００１】
（技術分野）
本発明は、ドア操作機構に関し、より詳しくは、非常バー（パニックバー）を含む非常出口ドア内に組込むことができるドア操作機構に関する。
【０００２】
（背景技術）
非常バーが設けられた非常出口ドアは、たとえドア自体に大きい力（規格により、１００ｋｇまでの力）が加えられてドア操作機構の正常な作動を妨げる事態が生じたとしても、特に、バーを操作したときには容易に開かなくてはならない。
慣用システムでは、パニックに襲われてドアを押す人は、ボルトを正常に後退させることができない傾向を有する。このため、ドアを開くことが一層困難になる。なぜならば、非常バーの操作には大きい力を要するからである。
また、慣用システムは、外部から無理に開くことが容易に行なえることが知られている。この問題を解決するため、幾つかのシステムは、更に侵入防止ボルトを有している。なぜならば、非常出口は、決して内側からロックされてはならないからである。
【０００３】
（発明の開示）
本発明の１つの目的は、特に、プッシュバーにより制御される非常バー形式のドア操作機構であって、ボルトを操作してドアを開くべく加えられる力が、ドア自体に加えられるどの力に対しても比較的鈍感であるドア操作機構を提案することにある。
【０００４】
上記目的を達成するため、本発明は、ドアに固定される支持体に取付けられる、特に非常ボルト形式のドア操作機構において、
前記支持体の外部のキーパを受け入れることができるスロットを備えた枢動ボルトと、
該ボルトとキーパとが分離可能な逃げ位置に到達できるようにする方向に前記ボルトが回転することを防止するための前記ボルトの異形ノーズと協働する衝合体を備えた枢動カムと、
該カムを付勢するアクチュエータ部材であって、前記カムのアームと協働して前記衝合体を後退させて前記枢動ボルトを解放し、該枢動ボルトが前記逃げ位置に到達できるようにするアクチュエータ部材とを有することを特徴とするドア操作機構を提供する。
【０００５】
本発明の他の目的は、家財の保護すなわち外部からの侵入を試みることに対する優れた抵抗が得られる一層確実な機構を提案することにある。
この目的のため、本発明はまた、ボルトのスロットの１つの縁部はその弱化部分の一部であり、該部分は、キーパとボルトとの間に生じた力が実質的にボルトの回転軸線の方向を向く位置へと外力によって曲げられることを特徴とする上記ドア操作機構を提供する。
従って、ドアを外側から強制的に開こうとすると、枢動ボルトが変形され、このため、キーパとボルトとの間に生じる力の方向が変えられ、ボルトに発生されるトルクが相殺される。この瞬間から、ボルトは、機構の弱化箇所に過ぎなくなる。
【０００６】
本発明の他の目的は、外側からドアを開けることができるように、上記装置を改善することにある。
この目的のため、本発明によるドア操作機構は、シリンダおよび／またはナットに連結されたカムを付勢するためのアクチュエータ手段を更に有し、該アクチュエータ手段はカムと協働してボルトを解放し、ボルトが逃げ位置に到達できるようにする特徴を有している。
より正確には、前記アクチュエータ手段はタブを有し、該タブは前記カムと協働し、かつ前記シリンダおよび／または前記ナットとの機械的連結位置へと移動できる可動板に固定されている。例えば、前記板は、該板をナットに連結することを支配するドグにより移動され、該ドグはシリンダにより移動される。
【０００７】
（発明を実施するための最良の形態）
添付図面を参照して述べる単なる例示に関する以下の説明から、本発明はより良く理解されるであろうし、本発明は一層明らかになるであろう。
特に図１〜図５を参照すると、ここには、非常バー（図示せず）が設けられたドア１２の表面に取付けることができる操作機構１１が示されている。この機構１１は、ドアフレームに固定されるキーパ１３と協働する。キーパ１３は、図１に破線で示されている。キーパ１３は２つの平行アームを有し、両アームの間には円筒状のクロスメンバ１４が延びている。同じキーパ１３が、図７に斜視図でかつ破線で示されている。
【０００８】
非常バーのレベルでドアに固定される支持体１６は、機構１１の種々の構成部品を支持している。支持体１６は、ドアに固定されるベース１８と、該ベースに対して垂直でかつ該ベースに取付けられる２つの平行フランジ１９を有している。ベース１８は全体としてＴ形の金属板である。以下に説明する構成部品のピボットは、両フランジ１９の間に延びているジャーナルで構成される。両フランジ１９は、実際に、ベース１８に固定されるＵ形の金属板部品からなる２つの平行部分である。
【０００９】
図２〜図６では、機構の重要部品が隠れてしまわないようにするため、ジャーナルを支持するフランジ１９が省略されている。フランジ１９は、図７において破線で示されている。
【００１０】
非常バーの一端は、ベース１８上で枢動するレバー２２の一端に関節連結されている。ベースに取付けられたばね２４は、レバー２２を図１に矢印Ｆ１で示す回転方向にばね付勢している。レバー２２は、Ｕ形断面を有する部材から形成されている。
【００１１】
支持体１６は枢動ボルト２６を支持しており、該枢動ボルト２６は、ドアフレームに取付けられたキーパ、より詳しくは、該キーパの円筒状クロスメンバ１４を受け入れることができる。このため、ボルト２６には、ドアが閉じられたときにクロスメンバ１４が係合するスロット２７が設けられている。枢動ボルト２６は、両フランジ１９間に延びているジャーナル２９の回りで回転する。ジャーナルの回りに巻回されたばね３０は、巻回部からの真直延長部からなる２つのアームを有している。一方のアームは湾曲しかつボルトの溝３２内に係合しており、他方のアームは、両フランジ１９の間に延びかつ衝合体を形成する軸３４に当接している。ばね３０は、枢動ボルト２６を、図１に矢印Ｆ２で示す回転方向にばね付勢している。
【００１２】
枢動カム３５は、ボルト２６の異形ノーズ３８と協働するローラの形態をなす衝合体３６を支持している。衝合体３６と異形ノーズ３８とが図１に示すように接触しているとき、枢動カム３５は、ボルト２６が、図４に示す逃げ位置（この位置では、ボルト２６およびキーパ１３が分離できる）に到達する方向に回転することを防止する。カム３５は同様な２つの平行部材４６を有し、該部材４６は、ローラ３６の長さだけ間隔を隔てて共通ジャーナル４２に取付けられている。ジャーナル４２は、支持体１６の両フランジ１９間に取付けられている。
【００１３】
カムを付勢する部材４５は、カム３５の一方のアーム４６と協働して、衝合体３６を引込める。すなわち、衝合体３６を矢印Ｆ３の方向に枢動させて、枢動ボルト２６を解放し、ボルト２６が前記逃げ位置に到達できるようにする。
カム３５は２つの同様な平行部材を有するので、この例では２つのアーム４６が設けられている。また、カムアクチュエータ部材４５はＵ形部材で形成されているので、これも２つ存在する。カムアクチュエータ部材４５は、両フランジ１９間に延びているジャーナル４８上で枢動する。カムアクチュエータ部材４５は、カム３５、より正確にはアーム４６と協働する丸端部５０を有している。
【００１４】
カムアクチュエータ部材４５は２つの同様な丸端部５０を有し、該丸端部５０は、カム３５の同様な部材４６と同じ間隔を隔てており、それぞれ協働することができる。
丸端部５０は２つの平行部材を切断して形成されている。これらの２つの丸端部５０の切断縁は、カム３５の２つの同様な部材４６のそれぞれの縁部と協働する。カムアクチュエータ部材４５はレバー２２の方向に延長されていて、アクチュエータ部材４５の移動がレバー２２の移動と干渉するようになっている。
より正確には、レバー２２が付勢されるとバーが押されるので、バーがカムアクチュエータ部材４５をジャーナル４８の回りで図１の矢印Ｆ４の方向に回転させる。
【００１５】
機構は更に、前記カム３５と協働してボルト２６を解放させ、該ボルト２６が逃げ位置に到達できるようにするシリンダおよび／またはナットに連結されたカム５５を付勢するアクチュエータ手段を有している。シリンダおよび／またはナットは、ドアの外側からアクセスできる。アクチュエータ手段はタブ５８を有し、該タブ５８はカム５５と協働しかつ可動板５９に固定されている。可動板５９は、該板がシリンダおよび／またはナットに機械的に連結される位置に移動できる。
この例では、板５９は２つの平行タブ５８を支持しており、該タブ５８は、カム３５の２つの同様な部材４６のそれぞれの縁部に当接する。
【００１６】
より正確には、この例では、板５９はベース１８に対して垂直方向に移動し、ナット６０に機械的に連結される位置に移動できる。板５９は、図示しないシリンダにより移動される。
このシリンダは、一般に、支持体１６により支持される標準の「ユーロ（Ｅｕｒｏ）」シリンダである。シリンダは、図７に示すように、支持体のロックケース６１内に収容される。板５９は２つのガイドロッド６２に沿って移動し、かつ板がナット６０と協働する位置に向かって２つのばね６３によりばね付勢されている（図５参照）。
【００１７】
より正確には、板５９は２つの長孔６４を有しており、該長孔６４により板５９はガイドロッド６２に沿って摺動する。各ガイドロッド６２はベース１８に固定されておりかつ衝合体を形成する肩部に終端している。各ばね６３は、前記肩部と板５９との間に取付けられている。
ベース１８上で回転するナット６０は、平坦部６５を備えた円形内面を有している。板５９の一端はナット６０の開部分内に係合でき、従って、ナット６０を外側から操作すると、平坦部６５の縁部により移動される。ばね３０の衝合体を形成する軸３４もナット６０の内面と接触していて、ベース１８上の所定位置に維持されることに留意されたい。ジャーナルは、板５９が図１に示す位置にあるときでも、ナットが押し込められて、板に連結されることを防止する。ナット６０が板５９を左方（図６で見て）に移動させると、タブ５８がカム３５を枢動させ、これにより枢動ボルト２６と衝合ローラ３６とが分離され、従ってボルト２６が前記逃げ位置へと枢動される。
【００１８】
板５９をナット６０に連結しまたはナット６０から離脱させるための、ベース１８に垂直な方向の板５９の移動は、前述のシリンダにより支配されるドグ６８の支配により行なわれるこのドグ６８は、板５９に対して全体的に垂直な平坦部材で形成されている（図２）。ドグ６８は板５９とベース１８との間に配置される。ドグ６８を構成する平坦部材は、傾斜縁部を備えたボス７０に特徴を有する。傾斜縁部は、板５９と接触しているときに（図２）、板を、図１に示すように、前記ナットから離脱している位置に保持する。ドグ６８は、慣用溝構造を介してシリンダのバスケットに連結された舌部材７２に固定されている。
【００１９】
従って、ドグ６８の位置は、シリンダを付勢することにより変えることができる。図１および図２に示す位置では、ドグは、板をナットから離れた位置に保持し、これにより「ドライ」になる。一方、シリンダを付勢するとドグが移動され、ドグはこれ自体の平面内で摺動する。これにより、ボス７０が板から離れる方向に移動する。次に、ばね６３により板５９がナットの方向に押され（図５）、ナットとタブ５８との連結が確立される。この移動から、ナットを付勢すると、板従ってタブが移動されて、カムが矢印Ｆ３の方向に枢動される。
【００２０】
ボルト２６のスロット２７の１つの縁部は、切込みにより弱化された縁部の一部であり、外力に応答して、キーパとボルトとの間に発生した力が実質的にボルトの回転軸線すなわちジャーナル２９の軸線の方向となる位置に曲り易いことに留意されたい。ボルト２６の弱化部分のこの曲りによって、ボルトのこの変形後にボルトに加えられる力がもはやボルトにいかなるトルクも発生させることがないため、ドアに力を加えることが一層困難になる。図１には、部分７６が曲げられた後の形状が破線で示されている。
【００２１】
図７には、二重ドアの２つのドアの一方に機構１１を取付けるのに特に適した変更形態が示されている。取付け方法は次の通りである。機構１１を支持するドアには非常バーが取付けられ、ドアのほぼ上半分に取付けられる前記機構は他方のドアに固定されたキーパ１３と協働する。
第二ドアにも非常バーが取付けられ、該非常バーは、他方のドアをドアフレーム内で動かなくする上下のキャッチを作動させる。ドアを開く状況は種々存在する。
機構を支持するドアのみが開かれる場合には、前記機構の挙動は、図１〜図６を参照して説明した挙動と同じである。
【００２２】
一方、他方のドアが開かれる場合には、上下の閉鎖機構が解放され、これにより第一ドアに取付けられた機構１１の枢動ボルトも解放されなくてはならいため図６に示した位置を占める。第二ドアが開かれることを防止するだけでなく、両ドアが閉じられるようにするには、第一ドアのプッシュ・バーが付勢されなくても、枢動ボルトはこの位置を占めることができなくてはならない。
【００２３】
この場合に、第二ドアに取付けられたボルト１３と協働させるため、前記機構は、前記支持体に対して枢動しかつカム３５と協働してカム３５を、ボルトを解放する方向（矢印Ｆ３）に付勢させるトリッピング部材７５を有している。トリッピング部材７５はカム縁部７６を有し、該カム縁部７６は、ボルトのスロット２７に対して横方向に並置されかつキーパと協働する形状を有し、これにより、前記第二ドアが開かれたときには、ボルトが解放されるとトリッピング部材を付勢し、トリッピング部材は次にカム３５を移動させて枢動ボルト２６を解放する。
【００２４】
図７に示すように、トリッピング部材７５は、枢動ボルトと同じジャーナル２９上で回転するように取付けられた簡単な第一部材である。上記のように形成されたカム縁部７６は、枢動ボルトのスロット２７の口の一方の側の近くに、ランプ（ｒａｍｐ）形端部を有している。
今ここに説明した装置の作動は、前述の説明から明らかであろう。
【００２５】
図１〜図６に示した機構に関連する非常バーによる通常の作動の場合には、前記バーが押されると、レバー２２が付勢されかつアクチュエータ部材４５が矢印Ｆ４の方向に枢動され、これにより、カム３５が矢印Ｆ３の方向に回転され、従って枢動ボルトの異形ノーズ３８と衝合体３６とが分離されることは明らかである。この状況は、図３に示されているように不安定であり、ばね３０は直ちに枢動ボルト２６を図４に示す位置に揺動させる。
【００２６】
この瞬間から、枢動ボルト２６は前記逃げ位置を占め、ドアを押すとクロスメンバ１４がキーパ１３から離脱され、これによりドアが開かれる。大きい力がドア自体に加えられたとしても、これが、ボルト２６の移動な全く影響を与えないことは明らかである。従って、ドアを開くべく加えられる力は、ドアに加えられる力に対して比較的鈍感である。
【００２７】
権限をもつ人がドグ６８を付勢するシリンダのキーを有する場合には、ドグ６８を移動でき、従って、タブ５８を支持する板５９とナット６０とを接触させることができる。この状況が図５に示されている。この瞬間から、ナット６０を操作すると（図６）、タブ５８従ってカム３５が移動される。このため、枢動ボルト２６は前記逃げ位置に到達でき、かつ非常バーにいかなる作用も加えることなくドアを外側から開くことができる。
【００２８】
最後に、二重ドアの場合には、キーパ１３を支持する第二ドアが最初に開かれると、第二ドアの移動によってクロスメンバが枢動ボルト２６の側でトリッピング部材７５と接触させられ、トリッピング部材はカム３５の衝合体３６を構成するローラ上に直接作用する。カムは図３に示す方向に回転し、かつ枢動ボルト２６を解放して該ボルトが図６に示す位置に到達できるようにする。従って、枢動ボルトはもはや第二ドアを開くことを妨げず、かつ次に第一ドアを開くことができる。緊急避難の後にドアが閉じられるとき、第二ドアが最初に閉じられかつ上下のキャッチによりロックされ、第一ドアに取付けられた機構１１が正しい位置を占めて第一ドアが閉じられるようにし、キーパ１３の円筒状クロスメンバ１４が再びスロット２７内に係合すると、枢動ボルト２６は図１に示す位置に戻る。
【図面の簡単な説明】
【図１】
図２のＩ−Ｉ線に沿う、本発明のドア操作機構の全体的断面図であり、ドアが閉じられたときの機構の状態を示すものである。
【図２】
図１と同じ状態にある同じ機構を示す部分斜視図である。
【図３】
非常バーの操作によりドアを開くフェーズの開始時での同じ機構を示す部分断面図である。
【図４】
非常バーの操作によりドアを開く間の同じ機構を示す部分断面図である。
【図５】
ナットの操作によりドアを開くフェーズの開始時での同じ機構を示す部分断面図である。
【図６】
ナットの操作によりドアを開く間の同じ機構を示す部分断面図である。
【図７】
二重ドア用に設計された他の実施形態を示す斜視図である。
【国際公開パンフレット】
2004510078.tif 000003
2004510078.tif 000004
2004510078.tif 000005
2004510078.tif 000006
2004510078.tif 000007
2004510078.tif 000008
2004510078.tif 000009
2004510078.tif 000010
2004510078.tif 000011
2004510078.tif 000012
2004510078.tif 000013
2004510078.tif 000014
2004510078.tif 000015
2004510078.tif 000016
2004510078.tif 000017
2004510078.tif 000018
2004510078.tif 000019
2004510078.tif 000020
【国際調査報告】
2004510078.tif 000021
2004510078.tif 000022
2004510078.tif 000023
2004510078.tif 000024